(57)【要約】【課題】バインダーやファイルにおいて綴じ具に綴じ込まれた収納物をまとめて手早く他の収納物に差し替えることができるようにし、１つの表紙でさまざまな収納物を代わる代わる入れ替えて用いることができるようにする。【解決手段】バインダーやファイルにおいて収納物を綴じ込んだ綴じ具部分と、表紙となるカバー部分との、それぞれ両方に互いに嵌め合わせることのできる嵌め具を備えることで、綴じ具部分とカバー部分とを容易に着脱できるようにする。【選択図】図３
2016124201.tif 000002
【特許請求の範囲】
【請求項１】
ルーズリーフ等のリフィルやカード収納ポケット等を綴じ込んだ綴じ具部分と、表紙となるカバー部分との、それぞれ両方に互いに嵌め合わせることのできる嵌め具を備えることで、綴じ具部分とカバー部分とを容易に着脱できるようにしたことを特徴とするシステム手帳やカードホルダー等として使用されるバインダー及びファイル
【発明の詳細な説明】
【技術分野】
【０００１】  本発明はリフィルやカード収納ポケットを綴じた綴じ具部分を、表紙カバー部分から容易に着脱できるようにしたバインダーやファイルに関する。
【背景技術】
【０００２】  システム手帳やカードホルダー等として使用されるバインダー及びファイルは複数のルーズリーフ等のリフィルや複数のカードを収納することができるものの、リフィル等を綴じ込んだ綴じ具部分と表紙となるカバー部分とが固く連結されているため、綴じ具に綴じ込まれたリフィル群や複数のカード収納ポケットに収められたカード群をまとめて他のリフィル群やカード群に差し替えることは手間が掛かり困難であった。このため、時間や場所や状況の変化に応じて、バインダーやファイルの中身をまとめて入れ替えることができず、バインダーやファイルの用途は限られ、不便であった。
一方、リフィル群やカード群をまとめて差し替えることができるように、リフィルやカード収納ポケットを綴じ込んだ綴じ具部分と表紙のカバー部分とを磁石などを用いて接合し着脱可能としたり、面ファスナーによって貼り合わせて着脱可能としたり、ブックカバーのようにカバーの表表紙と裏表紙に袋部を設け、そこに綴じ具に綴じ込まれた半硬質プラスチック等でできた表表紙と裏表紙をそれぞれ挿入することで着脱可能とする方法が考案され用いられてきた。
しかし、磁石による接合では接合力が不十分で使用時に外れやすいという問題があり、面ファスナーによる貼り合わせでは着脱を繰り返すことで面ファスナーが劣化し付着力が低下するという問題があり、ブックカバーのようにカバー表紙に差し込む方法ではカバー表紙からの収納物の着脱が面倒で時間が掛かるという問題があった。
【先行技術文献】
【特許文献】
【０００３】
【特許文献１】実用新案出願公開番号  実開平４−１２４６６８
【特許文献２】実用新案登録番号  第３０５８３５８号
【特許文献３】実用新案登録番号  第３００９５４３号
【特許文献４】実用新案登録番号  第３１７１６３７号
【発明の概要】
【発明が解決しようとする課題】
【０００４】  バインダーやファイルにおいて綴じ具に綴じ込まれたリフィル群やカード収納ポケットに収められたカード群をまとめて手早く他のリフィル群やカード群に差し替えることができるようにし、１つの表紙でさまざまな収納物を代わる代わる入れ替えて用いることができるようにする。
【課題を解決するための手段】
【０００５】  バインダーやファイルにおいてリフィルやカード収納ポケット等を綴じ込んだ綴じ具部分と、表紙となるカバー部分との、それぞれ両方に互いに嵌め合わせることのできる嵌め具を備えることで、綴じ具部分とカバー部分とを容易に着脱できるようにする。
【発明の効果】
【０００６】  バインダーやファイルにおいて、収納物を綴じ込んだ綴じ具部分と表紙のカバー部分とを、嵌め具により互いに嵌め合わせたり外したりできるようにすることで、収納物を使用するときはしっかりと嵌め合わせた状態で綴じられた収納物について閲覧したり記録したりすることができる。
一方、使用環境や場面が変わり、それら用途に応じて他の資料が必要となったときには、これまで装着していた収納物を綴じ具ごとカバー部分から外し、他の資料が綴じ込まれた別の綴じ具をカバー部分に装着し、持ち出すことができる。これにより、バインダーやファイルの用途は拡張し、大変便利である。
【図面の簡単な説明】
【０００７】
【図１】本発明のバインダーの綴じ具部分をカバー部分に固定した状態の斜視図
【図２】本発明のバインダーの綴じ具部分の嵌め具とカバー部分の嵌め具とを嵌め合わせた状態を示す側面図
【図３】本発明のバインダーの綴じ具部分とカバー部分とを分離した状態の斜視図
【図４】本発明のカードホルダーの綴じ具部分をカバー部分に固定した状態の斜視図
【図５】本発明のカードホルダーの綴じ具部分の嵌め具とカバー部分の嵌め具とを嵌め合わせた状態を示す側面図
【図６】本発明のカードホルダーの綴じ具部分とカバー部分とを分離した状態の斜視図及びカバー部分をカバー嵌め具と表紙とに分離した状態の斜視図
【発明を実施するための形態】
【０００８】  本発明を添付図に基づき説明する。
図１に見られるように本発明のバインダーは従来のバインダーと同様に複数のルーズリーフを綴じて使用することができる。すなわち、バインダーの綴じ具部分１に複数の綴じ込みリングを備え、ルーズリーフの綴じ込み孔にそれらリングを挿入させることで、それらを留め合わせることができ、綴じられたものを閲覧したり、それらに記入したりできるのである。また、綴じ込みリングを開閉することで、綴じられたルーズリーフを外したり、足したりすることもできるのである。
しかし、従来のバインダーでは綴じられたルーズリーフ群をまとめて他のルーズリーフ群に即座に差し替えることができない。これに対し本発明の実施例のバインダーでは図３にあるように、綴じ具部分１をカバー部分２から分離することで、綴じ込まれた収納物を必要に応じて一度にまとめて他のものに即座に入れ替えることができる。
本発明の実施例であるバインダーは図３のようにカバー部分２にレール状の嵌め具４を備えており、一方バインダーの綴じ具部分１にもカバー部分２のレール状の嵌め具４に嵌め合わせることのできる嵌め具３を備えている。この綴じ具部分１に設けられた嵌め具３をカバー部分２のレール状の嵌め具４に挿通し、挿通し切ったところで、爪状の留め具５で係止することで、綴じ具部分１がカバー部分２から軸方向に脱落しないようになっている。
また、綴じ具部分１をカバー部分２から外すときは、その爪状の留め具５を押し下げて係止を外し、その後に綴じ具部分１を軸方向に引き出すことで図３のように簡単に外すことができる。
本発明の実施例は軽量な嵌め具によって容易に綴じ具部分１とカバー部分２を着脱できるようになっており、図２に示されるように、綴じ具部分１の嵌め具３とカバー部分２の嵌め具４とがガタなく嵌合するようになっている。
【０００９】  図４は、本発明の実施例のカードホルダーであり、複数のカード収納ポケットが綴じられたものである。このカードホルダーには従来のカードホルダーと同様に、名刺・クレジットカード・ポイントカード・遊戯用カード・診察券など様々なカードを収納することができる。ただし、実施例のカードホルダーにおいては、従来のカードホルダーとは違い、カード収納ポケットを綴じ込んでいる綴じ具部分６をそのまま即座にカードホルダーのカバー部分７から外し、用途に応じたカード群を収めた他のカード収納ポケットを綴じた綴じ具部分に差し替えることができるようになっている。
図６には本発明のカードホルダーの綴じ具部分６とカバー部分７とを分離した状態が示されているが、カバー部分７に設けられたレール状の嵌め具９にカード収納ポケットを綴じた綴じ具部分６に設けられた嵌め具８を挿通し、挿通し切ったところで、爪状の留め具１０で係止し、綴じ具部分６がカバー部分７から軸方向に脱落しないようになっている。
また、綴じ具部分６をカバー部分７から外すときは、その爪状の留め具１０の係止を外し、その後に綴じ具部分６を軸方向に引き出すことで簡単に外し、図６のように分離することができる。
本発明の実施例は軽量な嵌め具によって容易に綴じ具部分６とカバー部分７を着脱できるようになっており、図５に示されるように、綴じ具部分の嵌め具８とカバー部分の嵌め具９とがガタなく嵌合するようになっている。
そして、本発明の実施例のカードホルダーは図６に見られるように、綴じ具部分６をカバー部分７から分離できるだけではなく、分離したカバー部分７をさらにカバー嵌め具１１と表紙１２とに分離できるようになっている。
カバー嵌め具１１には表紙１２の表表紙と裏表紙に設けられた袋部にカバー嵌め具１１に連結された半硬質プラスチックの表表紙シートと裏表紙シートを挿入することでブックカバーのように着脱できるようになっている。
このようにカバー部分をさらにカバー嵌め具１１と表紙１２とに分離できることは、カードホルダーの修繕のしやすさを向上させる。例えば、カバー部分の嵌め具９が壊れたときには、カバー嵌め具１１を表紙１２から外して、カバー嵌め具１１のみを更新すればよく、高価な表紙１２を壊れたカバー嵌め具１１とともに捨てる必要がなく、長く使い続けることができるのである。
【産業上の利用可能性】
【００１０】  本発明は、システム手帳、携帯用アルバム、ルーズリーフ状の書籍ホルダー、書類ホルダー、文具セットホルダー、名刺入れ、クレジットカード・ポイントカード・遊戯用カード・診察券等のカードホルダー等に用いられるバインダーやファイルに利用できる。
【符号の説明】
【００１１】１  バインダーの綴じ具部分
２  バインダーのカバー部分
３  バインダーの綴じ具部分の嵌め具
４  バインダーのカバー部分のレール状嵌め具
５  バインダーの爪状の留め具
６  カードホルダーの綴じ具部分
７  カードホルダーのカバー部分
８  カードホルダーの綴じ具部分の嵌め具
９  カードホルダーのカバー部分の嵌め具
１０  カードホルダーの爪状の留め具
１１  カバー嵌め具
１２  表紙
【図１】
2016124201.tif 000003
【図２】
2016124201.tif 000004
【図３】
2016124201.tif 000005
【図４】
2016124201.tif 000006
【図５】
2016124201.tif 000007
【図６】
2016124201.tif 000008